【手続補正書】
【提出日】令和1年7月19日(2019.7.19)
【手続補正１】
【補正対象書類名】特許請求の範囲
【補正対象項目名】全文
【補正方法】変更
【補正の内容】
【特許請求の範囲】
【請求項１】
アッセイの実施においてアッセイ消耗品を使用するように構成されたアッセイシステムであって、前記アッセイ消耗品が、前記アッセイ消耗品のためのデータ展開可能バンドル（ＤＢＢ）を備えるアッセイ消耗品識別子を含むアッセイ消耗品識別子を備え、
（ａ）ローカル消耗品データを備える消耗品データレポジトリ及びデータレジストリを含む記憶媒体と、
（ｂ）前記ＤＤＢを読み取り、前記記憶媒体にインストールするように適応された消耗品識別子コントローラと、
（ｃ）前記アッセイ消耗品を使用し、前記アッセイシステムによるアッセイの前記実施に必要とされる消耗品データを識別し、ダウンロードするために、前記データレジストリ及び１つ以上のリモート消耗品データデータベースに問い合わせるように適応された消耗品データサービスプロセッサと
を備える、前記アッセイシステム。
【請求項２】
アッセイシステムに動作可能なように接続されるコンピュータシステムによる実行時に、前記アッセイシステムに前記アッセイシステムでアッセイを実施する方法を実行させるコンピュータプログラムをコンピュータ可読媒体に記憶させる、コンピュータ可読媒体であって、前記アッセイシステムが前記アッセイの前記実施においてアッセイ消耗品を使用するように構成され、前記アッセイ消耗品が、アッセイ消耗品及びアッセイシステムでのアッセイ消耗品の使用に関係する消耗品データを備える１つ以上のデータファイルを含むデータ展開可能バンドル（ＤＤＢ）であって、前記１つ以上のデータファイルがＤＤＢ一意識別子、ＤＤＢバージョン、ＤＤＢ  ｘｍｌファイル、消耗品静的情報、消耗品処理情報、及びその組合せを含む、前記データ展開可能バンドル（ＤＤＢ）を含むアッセイ消耗品識別子を備え、前記アッセイシステムが、
（ａ）ローカル消耗品データを備える消耗品データレポジトリ、及びデータレジストリを含む記憶媒体と、
（ｂ）前記ＤＤＢを読み取り、前記記憶媒体にインストールするように適応された消耗品識別子コントローラと、
（ｃ）前記アッセイ消耗品を使用する前記アッセイシステムによるアッセイの前記実施のために必要とされる消耗品データを識別し、ダウンロードするために、前記データレジストリ及び１つ以上の遠隔消耗品データベースに問い合わせるように適応された消耗品データサービスプロセッサと
を備え、
前記方法が、
（ａ）前記消耗品識別子から前記ＤＤＢを読み取るステップと、
（ｂ）前記消耗品データレポジトリに前記ＤＤＢを記憶するステップと、
（ｃ）前記消耗品データレポジトリから消耗品データを識別し、任意選択で１つ以上のリモート消耗品データデータベースから消耗品データをダウンロードするステップと、
（ｄ）前記消耗品データに基づいた前記アッセイの前記実施の前、間、及び／又は後に前記システムによって実行される１つ以上の動作を調整するステップと、
（ｅ）前記アッセイ消耗品を使用し、前記アッセイシステムで前記アッセイを実施するステップと
を含む、コンピュータ可読媒体。
【請求項３】
アッセイ試薬用のホルダであって、
少なくとも１つ又は２つの試薬容器を受け取るように構成された少なくとも２つの領域と、
前記試薬容器の前記底部に位置する少なくとも１つ又は２つの消耗品識別子を見るように構成された少なくとも１つ又は２つの穴又は窓と
を備える、ホルダ。
【請求項４】
段ボール容器に請求項３に記載の前記アッセイ容器を備えるアッセイキット。
【請求項５】
アッセイシステムと使用されるように適応されたローディングカートであって、前記ローディングカートがコンピュータ画面と、少なくとも１つの棚及び前記コンピュータ画面用の支持体を備える可動本体を備え、
前記棚が少なくとも１つのトレイを備え、複数の長穴が前記トレイに画定され、前記長穴がアッセイを実施するために複数の消耗品を受け取るサイズ及び寸法に作られ、
前記コンピュータ画面が前記少なくとも１つのトレイ上の消耗品の前記複数の容器の第１の配置を示すユーザインタフェースを表示するように適応される、
ローディングカート。
【請求項６】
アッセイ構成要素を準備するためのアッセイ準備システムであって、
（ａ）アッセイランを実行するために必要とされる前記構成要素についての情報を備えるプロセッサを有するアッセイシステムと、
（ｂ）アッセイで使用される構成要素を組み立てるための棚、及びモバイルコンピューティングデバイスを保持するための支持体を備えるローディングカートと、
（ｃ）コンピュータ画面を含むモバイルコンピューティングデバイスと
を備え、
前記モバイルコンピューティングデバイスが前記プロセッサで前記情報にアクセスするためのネットワーキング機能、及びコンピュータ画面上でその情報をユーザに提示し、前記ローディングカートでのアッセイ構成要素の設置を誘導するためのグラフィックユーザインタフェースを含む、
アッセイ準備システム。
【請求項７】
アッセイを実施するための消耗品をアッセイシステムの中に装填するための方法であって、
ａ．複数の消耗品を受け取るステップと、
ｂ．中間消耗品ローディングステーションに位置決めされた画面にユーザインタフェースによって表示される第１の構成に従って前記中間消耗品ローディングステーションに前記複数の消耗品を配置するステップと、
ｃ．前記中間消耗品ローディングステーションを前記アッセイシステムに移動するステップと、
ｄ．第２の構成に従って前記アッセイシステムに前記複数の消耗品を移送するステップであって、前記第１の構成が前記第２の構成と実質的に同じである、移送するステップと
を含む、方法。
【請求項８】
アッセイの前記実施において消耗品を受け取るように適応された自動アッセイシステムであって、前記アッセイシステムがロボット制御式ピペッタ及びロボット制御式グリッパアーム、アッセイ読取装置、プレート洗浄機、並びに少なくとも１つの任意選択の加熱可能シェーカ、少なくとも１つの熱交換器、並びに前記消耗品の装填において及び前記アッセイの実行において潜在的なエラーを最小限に抑える少なくとも１つの命令を実行するように適応された少なくとも１つのプロセッサを備え、
前記消耗品が少なくとも１つのアッセイ試験プレート、少なくとも１つの希釈プレート、少なくとも１セットのピペット先端、少なくとも１つの試料プレート、及びキャリブレータ、希釈液、及び抗体の少なくとも１つを含む複数の容器を備え、
前記少なくとも１つの命令は、以下
前記消耗品を前記アッセイシステムの中に装填するためにユーザを指導する、ユーザインタフェースに対する命令と、
前記少なくとも１つのアッセイ試験プレートが前記シェーカに設置されるとき、前記少なくとも１つのアッセイ試験プレートに蓋を設置する、前記ロボットグリッパアームに対する命令と、
前記アッセイシステムの中で選択された温度を維持する、前記少なくとも１つの熱交換器に対する命令と、
前記少なくとも１つのアッセイ試験プレートのために前記アッセイを実行する命令であって、前記少なくとも１つのアッセイプレートが複数のアッセイ試験プレートを備え、各アッセイ試験プレートが実質的に同期間に完了する、アッセイを実行する命令と
の少なくとも１つを含む、
自動アッセイシステム。
【請求項９】
ユーザ、計器、及びアッセイ方法の変動を最小限に抑えるように構成された自動アッセイシステムであって、前記システムがロボットグリッパアーム及びロボットピペッタを備え、
試料希釈ステップを実行することと、
所与のアッセイのために前記正しいアッセイワークフローを選び、実行することと、
空気冷却処理システムを制御し、それによって定義された公差で前記システムのアッセイワークフロー領域の定義された温度を維持することと、
ラン、プレート、及びウェルの間で一貫したタイミングを維持することと、
ユーザが、前記ワークフローソフトウェアを再構成又は再確証する必要なく異なるアッセイワークフローを実行できるようにすることと
の少なくとも１つのためのソフトウェア及び計器構成要素も備える、自動アッセイシステム。
【請求項１０】
自動アッセイシステムであって、ロボットグリッパアーム及びロボットピペッタを備え、少なくとも以下の追加の構成要素、つまり（ａ）プレートキャリヤ、（ｂ）先端ボックスキャリヤ、（ｃ）５つの任意選択の加熱可能シェーカ、（ｄ）空気冷却処理システム、（ｅ）アッセイ試薬用のアッセイ消耗品保管ユニット、（ｆ）即時利用先端用のアッセイ消耗品保管ユニット、（ｇ）予備先端用のアッセイ消耗品保管ユニット、（ｈ）プレート用のアッセイ消耗品保管ユニット、（ｉ）チューブ及びトラフ用のアッセイ消耗品保管ユニットを固定するための位置、並びに（ｊ）プラットフォーム若しくはテーブル、又は両方を備え、前記構成要素（ａ）〜（ｃ）及び（ｅ）〜（ｈ）が図１０（ａ）、図１０（ｂ）、図１０（ｃ）、図１０（ｌ）、図１０（ｎ）又は図１０（ｏ）に示されるように互いに対して実質的に前記同じ位置での前記システムの中の前記プラットフォーム又は前記テーブルに位置し、構成要素（ｄ）が、実質的に図１０（ｌ）、図１０（ｍ）、又は図１０（ｎ）に示されるように前記計器の前記バックパネルに位置する、自動アッセイシステム。
【請求項１１】
自動アッセイシステムであって、
（ａ）ほぼ矩形表面に前端、第１の側端、第２の側端、及び後端縁を提供するアッセイ構成要素を保持するための処理デッキであって、
（ｉ）９６ウェルアッセイプレートの幅及び長さについて前記ＡＮＳＩ−ＳＬＡＳ仕様を満たす消耗品を保持するサイズに作られた複数の消耗品長穴を有する前記デッキの前記前端上でほぼ中心に置かれ、片持ちにされたアッセイ消耗品ホテルと、
（ｉｉ）前記デッキの第１の側に位置するピペット先端容器を保持するための複数のピペット先端場所と、
（ｉｉｉ）前記デッキの前記後端縁に沿って位置する複数のプレートシェーカ場所と、
（ｉｖ）前記ホテルと、ＡＮＳＩ−ＳＬＡＳに準拠する寸法を有する消耗品を保持するように構成されるシェーカとの間で前記デッキの前記ほぼ中心に位置する処理場所のセットと、
（ｖ）前記ピペット先端場所の後方で前記デッキの前記第１の側に位置するバーコードスキャナであって、ＡＮＳＩ−ＳＬＡＳに準拠する寸法を有する消耗品の前記底面を走査するほど十分に大きい走査表面を有する前記バーコードスキャナと
を有する前記デッキと、
（ｂ）前記デッキの下に位置し、前記ピペット場所と前記アッセイプレート処理場所との間の前記デッキの開口を通してアクセス可能なプレート洗浄機と、
（ｃ）前記グリッパが場所（ｉ）から（ｖ）にアクセスするために移動できるようにロボットプレートグリッパを可動で支持し、前記ピペッタが場所（ｉｉ）及び（ｉｖ）にアクセスできるようにロボット８チャネルピペッタを可動で支持する前記デッキ上方に位置するガントリと、
（ｄ）前記デッキよりもより低い垂直高所であるプラットフォーム上の前記デッキの前記第１の側面の隣に位置するアッセイ読取装置であって、前記読取装置上の最も高い点が、前記ロボットグラバが移動できる最も低い点よりもより低い、アッセイ読取装置と、
（ｅ）温度制御下で前記構成要素を維持するための温度コントローラを有し、ユーザに前記デッキの前記正面及びその上に位置する前記消耗品ホテルへのアクセスを提供するドアを有する、構成要素（ａ）〜（ｄ）を取り囲むエンクロージャと、
を備える、自動アッセイシステム。
【手続補正２】
【補正対象書類名】明細書
【補正対象項目名】０３５０
【補正方法】変更
【補正の内容】
【０３５０】
***
本発明は、本明細書に説明される具体的な実施形態により範囲を制限されない。事実上、本明細書に説明される実施形態に加えて、本発明の多様な修正形態は、上記説明及び添付図から当業者にとって明らかになる。係る修正形態は、特許請求の範囲の範囲内に入ることを目的とする。開示がその全体として援用される多様な出版物が本明細書で引用される。
以下、ここで説明した技術的特徴を列挙する。
［技術的特徴１］
アッセイの実施においてアッセイ消耗品を使用するように構成されたアッセイシステムであって、前記アッセイ消耗品が、前記アッセイ消耗品のためのデータ展開可能バンドル（ＤＢＢ）を備えるアッセイ消耗品識別子を含むアッセイ消耗品識別子を備え、
（ａ）ローカル消耗品データを備える消耗品データレポジトリ及びデータレジストリを含む記憶媒体と、
（ｂ）前記ＤＤＢを読み取り、前記記憶媒体にインストールするように適応された消耗品識別子コントローラと、
（ｃ）前記アッセイ消耗品を使用し、前記アッセイシステムによるアッセイの前記実施に必要とされる消耗品データを識別し、ダウンロードするために、前記データレジストリ及び１つ以上のリモート消耗品データデータベースに問い合わせるように適応された消耗品データサービスプロセッサと
を備える、前記アッセイシステム。
［技術的特徴２］
前記消耗品識別子が前記ＤＤＢの１つ以上のデータファイルを前記記憶媒体に持続するようにさらに構成される、技術的特徴１に記載のアッセイシステム。
［技術的特徴３］
前記１つ以上のデータファイルがＤＤＢ一意識別子、ＤＤＢバージョン、消耗品静的情報、消耗品処理情報、及びその組合せを備える、技術的特徴２に記載のアッセイシステム。
［技術的特徴４］
前記１つ以上のデータファイルがＤＤＢ一意識別子、ＤＤＢバージョン、及び消耗品静的情報を備える、技術的特徴２に記載のアッセイシステム。
［技術的特徴５］
前記消耗品静的情報が消耗品タイプ情報を備える、技術的特徴３又は４に記載のアッセイシステム。
［技術的特徴６］
前記消耗品がマルチウェルアッセイプレートであり、前記消耗品タイプ情報がウェルの列数、ウェルの行数、ウェルあたりの結合ドメイン数、及びその組合せを含む、技術的特徴５に記載のアッセイシステム。
［技術的特徴７］
前記消耗品がマルチウェルアッセイプレートであり、前記消耗品処理情報が、前記プレートを使用するアッセイの前記実施、及び／又は前記プレートを使用するアッセイの前記実施から生じるアッセイデータの前記処理において前記アッセイシステムによって使用されるデータを備える、技術的特徴３に記載のアッセイシステム。
［技術的特徴８］
前記消耗品処理情報が、プレートあたりの前記セクタ数、プレートあたりの前記回路数、前記プレートを読み取るために前記アッセイシステムによって使用される検出パラメータ、ＥＣＬ結果を生じさせるために使用される画像処理特性、プレートタイプ利得、結合ドメイン利得、光クロストーク行列、及びその組合せを備える、技術的特徴７に記載のアッセイシステム。
［技術的特徴９］
前記アッセイ消耗品が、マルチウェルアッセイプレート及び前記プレートを使用するアッセイの前記実施において使用される１つ以上の試薬を備えるキットであり、前記ＤＤＢがアッセイ結合ドメイン情報、アッセイプロトコル、データ解析パラメータ、製品インサート、及びその組合せを備える、技術的特徴３に記載のアッセイシステム。
［技術的特徴１０］
前記アッセイシステムが、互換性がないＤＤＢソフトウェアをダウングレード及び／又はアップグレードするように構成されたＤＤＢバージョン互換性プロセッサをさらに備える、技術的特徴１〜９のいずれかに記載のアッセイシステム。
［技術的特徴１１］
前記アッセイシステムが、アッセイの前記実施における前記アッセイシステムによる使用に適したアッセイシステム構成データに、未処理分類データを変換するように適応されたＤＤＢファクトリをさらに備える、技術的特徴１〜１０のいずれかに記載のアッセイシステム。
［技術的特徴１２］
前記ＤＤＢが、データ記述情報及びデータ処理情報を含むＤＤＢ  ｘｍｌファイルを備える、技術的特徴１から１１のいずれかに記載のアッセイシステム。
［技術的特徴１３］
アッセイ消耗品及びアッセイシステムでのアッセイ消耗品の使用に関係する消耗品データを備える１つ以上のデータファイルを含むデータ展開可能バンドル（ＤＤＢ）であって、前記１つ以上のデータファイルがＤＤＢ一意識別子、ＤＤＢバージョン、ＤＤＢ  ｘｍｌファイル、消耗品静的情報、消耗品処理情報、及びその組合せを含む、前記データ展開可能バンドル。
［技術的特徴１４］
前記１つ以上のデータファイルがＤＤＢ一意識別子、ＤＤＢバージョン、ＤＤＢ  ｘｍｌファイル、及び消耗品静的情報を含む、技術的特徴１３に記載のＤＤＢ。
［技術的特徴１５］
前記消耗品静的情報が消耗品タイプ情報を備える、技術的特徴１３又は１４に記載のＤＤＢ。
［技術的特徴１６］
前記消耗品がマルチウェルアッセイプレートであり、前記消耗品タイプ情報がウェルの列数、ウェルの行数、ウェルあたりの結合ドメイン数、及びその組合せを含む、技術的特徴１５に記載のＤＤＢ。
［技術的特徴１７］
前記消耗品がマルチウェルアッセイプレートであり、前記消耗品処理情報が、前記プレートを使用するアッセイの前記実施、及び／又は前記プレートを使用するアッセイの前記実施から生じるアッセイデータの前記処理において前記アッセイシステムにより使用されるデータを備える、技術的特徴１３に記載のＤＤＢ。
［技術的特徴１８］
前記消耗品処理情報が、プレートあたりの前記セクタ数、プレートあたりの前記回路数、前記プレートを読み取るために前記アッセイシステムによって使用される検出パラメータ、ＥＣＬ結果を生じさせるために使用される画像処理特性、プレートタイプ利得、結合ドメイン利得、光クロストーク行列、及びその組合せを備える、技術的特徴１３、１５、又は１７のいずれかに記載のＤＤＢ。
［技術的特徴１９］
前記アッセイ消耗品が、マルチウェルアッセイプレート及び前記プレートを使用するアッセイの前記実施において使用される１つ以上の試薬を備えるキットであり、前記ＤＤＢがアッセイ結合ドメイン情報、アッセイプロトコル、データ解析パラメータ、製品インサート、及びその組合せをさらに備える、技術的特徴１３〜１８のいずれかに記載のＤＤＢ。
［技術的特徴２０］
前記ＤＤＢ  ｘｍｌファイルがデータ記述情報及びデータ処理情報を含む、技術的特徴１３〜１９のいずれかに記載のＤＤＢ。
［技術的特徴２１］
アッセイシステムに動作可能なように接続されるコンピュータシステムによる実行時に、前記アッセイシステムに前記アッセイシステムでアッセイを実施する方法を実行させるコンピュータプログラムをコンピュータ可読媒体に記憶させる、コンピュータ可読媒体であって、前記アッセイシステムが前記アッセイの前記実施においてアッセイ消耗品を使用するように構成され、前記アッセイ消耗品が技術的特徴１３に記載の前記ＤＤＢを含むアッセイ消耗品識別子を備え、前記アッセイシステムが、
（ａ）ローカル消耗品データを備える消耗品データレポジトリ、及びデータレジストリを含む記憶媒体と、
（ｂ）前記ＤＤＢを読み取り、前記記憶媒体にインストールするように適応された消耗品識別子コントローラと、
（ｃ）前記アッセイ消耗品を使用する前記アッセイシステムによるアッセイの前記実施のために必要とされる消耗品データを識別し、ダウンロードするために、前記データレジストリ及び１つ以上の遠隔消耗品データベースに問い合わせるように適応された消耗品データサービスプロセッサと
を備え、
前記方法が、
（ａ）前記消耗品識別子から前記ＤＤＢを読み取るステップと、
（ｂ）前記消耗品データレポジトリに前記ＤＤＢを記憶するステップと、
（ｃ）前記消耗品データレポジトリから消耗品データを識別し、任意選択で１つ以上のリモート消耗品データデータベースから消耗品データをダウンロードするステップと、
（ｄ）前記消耗品データに基づいた前記アッセイの前記実施の前、間、及び／又は後に前記システムによって実行される１つ以上の動作を調整するステップと、
（ｅ）前記アッセイ消耗品を使用し、前記アッセイシステムで前記アッセイを実施するステップと
を含む、コンピュータ可読媒体。
［技術的特徴２２］
前記方法が、前記ＤＤＢの１つ以上のデータファイルを前記記憶媒体に持続する前記ステップをさらに含む、技術的特徴２１に記載のコンピュータ可読媒体。
［技術的特徴２３］
アッセイ試薬用のホルダであって、
少なくとも１つ又は２つの試薬容器を受け取るように構成された少なくとも２つの領域と、
前記試薬容器の前記底部に位置する少なくとも１つ又は２つの消耗品識別子を見るように構成された少なくとも１つ又は２つの穴又は窓と
を備える、ホルダ。
［技術的特徴２４］
前記領域に、異なるサイズの少なくとも２つのアッセイ容器を受け取るための前記少なくとも２つの異なるサイズがある、技術的特徴２３に記載のホルダ。
［技術的特徴２５］
前記領域及び前記穴又は前記窓が円形であり、前記穴又は前記窓の直径は前記領域よりも小さい、技術的特徴２３に記載のホルダ。
［技術的特徴２６］
前記領域及び前記穴又は前記窓が直線的であり、前記穴又は前記窓の直径は前記領域よりも小さい、技術的特徴２３に記載のホルダ。
［技術的特徴２７］
フレーム、少なくとも１つの任意選択のインサート、及び少なくとも１つの任意選択のマスクを備える、技術的特徴２３に記載のホルダ。
［技術的特徴２８］
前記マスクが前記フレームの前記上部に取り付けられる、技術的特徴２７に記載のホルダ。
［技術的特徴２９］
前記インサートが前記フレームの中且つ前記マスクの下方に位置決めされる、技術的特徴２７又は２８に記載のホルダ。
［技術的特徴３０］
前記少なくとも２つの穴が前記フレーム内の穴である、技術的特徴２７〜２９のいずれかに記載のホルダ。
［技術的特徴３１］
前記少なくとも２つの領域が、前記フレーム内の円柱状の穴又は前記任意選択のインサート、又は両方を備える、技術的特徴２７〜３０のいずれかに記載のホルダ。
［技術的特徴３２］
前記少なくとも２つの領域が前記マスク内に穴を備える、技術的特徴２７〜３１のいずれかに記載のホルダ。
［技術的特徴３３］
前記少なくとも２つの穴が前記フレーム内の透明なプラスチックコーティングされた穴である、技術的特徴２７〜３２のいずれかに記載のホルダ。
［技術的特徴３４］
前記容器の前記設置面積寸法が、マルチウェルプレートについてＡＮＳＩ−ＳＬＡＳ寸法に準拠する、技術的特徴２７〜３３のいずれかに記載のホルダ。
［技術的特徴３５］
前記容器の前記高さが、マルチウェルプレートについて前記ＡＮＳＩ−ＳＬＡＳ高さに準拠する、技術的特徴２７〜３４のいずれかに記載のホルダ。
［技術的特徴３６］
前記インサートが発泡体であり、前記少なくとも２つの試薬容器に詰め物をするための前記フレームの少なくとも円柱状の穴の中に挿入される、技術的特徴２７〜３５のいずれかに記載のホルダ。
［技術的特徴３７］
前記インサートが試薬容器と、前記試薬容器よりも大きい領域との間に位置決めされる、技術的特徴２７〜３５のいずれかに記載のホルダ。
［技術的特徴３８］
前記インサートが発泡体であり、前記アッセイ試薬容器の前記円柱状の穴を画定し、前記フレームを充填する、技術的特徴２７〜３５のいずれかに記載のホルダ。
［技術的特徴３９］
前記マスクが複数の領域を画定し、マスク領域の前記数が前記容器、フレーム、又はインサートの領域の前記数と同じ又はより少ない、技術的特徴２７〜３８のいずれかに記載のホルダ。
［技術的特徴４０］
前記マスクが、前記アッセイ試薬容器によって受け取られるアッセイ容器の前記数を制限する、技術的特徴２７〜３９のいずれかに記載のホルダ。
［技術的特徴４１］
前記マスクが試薬用のラベルを備える、技術的特徴２７〜４０のいずれかに記載のホルダ。
［技術的特徴４２］
その上に貼り付けられるアッセイ消耗品識別子を備える、技術的特徴２３〜４１のいずれかに記載のホルダ。
［技術的特徴４３］
前記アッセイ消耗品識別子が前記容器の底部、側面、又は上面に位置する、技術的特徴４２に記載のホルダ。
［技術的特徴４４］
前記試薬容器の少なくとも１つをさらに備える、技術的特徴２３〜４３のいずれかに記載のホルダ。
［技術的特徴４５］
前記試薬容器がアッセイ試薬を備える、技術的特徴４４に記載のホルダ。
［技術的特徴４６］
前記アッセイ試薬が、Ｖ−ＰＬＥＸアッセイ、Ｕ−ＰＬＥＸアッセイ、免疫原性（ＩＧ）アッセイ、薬物動態（ＰＫ）アッセイ、又はカスタムアッセイ用の試薬である、技術的特徴４５に記載のホルダ。
［技術的特徴４７］
前記ラベルが、Ｖ−ＰＬＥＸアッセイ、Ｕ−ＰＬＥＸアッセイ、免疫原性（ＩＧ）アッセイ、薬物動態（ＰＫ）アッセイ、又はカスタムアッセイ用のアッセイ試薬を定義する、技術的特徴４１〜４６のいずれかに記載のホルダ。
［技術的特徴４８］
前記アッセイ試薬容器又は前記フレームが導電性プラスチックから作られる、技術的特徴２３〜４７のいずれかに記載のホルダ。
［技術的特徴４９］
蓋をさらに備える、技術的特徴２３〜４８のいずれかに記載のホルダ。
［技術的特徴５０］
前記蓋が完全に又は大部分は透明である、技術的特徴４９に記載のホルダ。
［技術的特徴５１］
前記少なくとも１つ又は２つのアッセイ容器が、その底部に位置し、前記容器の前記底部から見ることができるアッセイ消耗品識別子を備える、技術的特徴４９に記載のホルダ。
［技術的特徴５２］
（ａ）底部及び側面を有するフレームであって、前記底部が矩形形状であり、ＡＮＳＩ−ＳＬＡＳ規格に準拠する寸法を有し、前記ホルダ穴又は窓を画定する、フレームと、
（ｂ）チューブ又はバイアルを保持するサイズに作られたインサート穴を有し、前記チューブ又は前記バイアルを前記ホルダの穴又は窓と位置合わせするように配置された前記フレームの中に嵌るインサートと、
（ｃ）前記インサートの上方に位置するマスクであって、マスク穴が前記インサート穴と位置合わせされて、チューブ又はバイアルの前記インサートの中への挿入を可能にし、前記マスクが前記チューブ又はバイアルについての識別情報も提供する、マスクと、
（ｄ）任意選択で、前記ホルダの中に前記バイアルを封入するための蓋と
を備える、技術的特徴２３〜５１のいずれかに記載のホルダ。
［技術的特徴５４］
前記消耗品識別子が２次元バーコードである、技術的特徴２３〜５３のいずれかに記載のホルダ。
［技術的特徴５５］
前記２次元バーコードが、前記チューブ又は前記バイアルの前記底部の凹部の中に挿入されるプラスチックパックに印刷される、技術的特徴５４に記載のホルダ。
［技術的特徴５６］
前記２次元バーコードが、前記チューブ又は前記バイアルの前記底部の凹部に対して熱融着されるフォイルディスク上に印刷される、技術的特徴５４に記載のホルダ。
［技術的特徴５７］
前記アッセイチューブ又はバイアルが、以下のアッセイ試薬
（ｉ）較正材料と、
（ｉｉ）対照材料と、
（ｉｉｉ）捕捉試薬と、
（ｉｖ）検出試薬と、
（ｖ）希釈液と、
（ｖｉ）リンカ試薬
の１つ以上を有するチューブ又はバイアルを含む、技術的特徴２３〜５６のいずれかに記載のホルダ。
［技術的特徴５８］
段ボール容器に技術的特徴２３〜５７のいずれかに記載の前記アッセイ容器を備えるアッセイキット。
［技術的特徴５９］
前記段ボール容器にアッセイ消耗品識別子をさらに備える、技術的特徴５８に記載のキット。
［技術的特徴６０］
記段ボール容器に少なくとも１つのアッセイ消耗品プレートをさらに備える、技術的特徴５８又は５９に記載のキット。
［技術的特徴６１］
前記アッセイ消耗品プレートがマルチウェルアッセイプレートである、技術的特徴６０に記載のキット。
［技術的特徴６２］
前記アッセイ消耗品プレートがアッセイ消耗品識別子を備える、技術的特徴６０又は６１に記載のキット。
［技術的特徴６３］
少なくとも１つのトラフ又はチューブ又は両方をさらに備える、技術的特徴５８〜６２のいずれかに記載のキット。
［技術的特徴６４］
マルチウェルプレートの上面を覆うように構成された蓋であって、前記蓋の上部に依存するスカートを備え、前記スカートが前記マルチウェルプレートの前記上面の外周の回りに適合するように適応され、前記プレートの前記上面が、前記マルチウェルプレートの前記外周に接触するサイズ及び寸法に作られ、
複数の窪みが前記蓋の前記上部から前記マルチウェルプレートに向かって延在する、
蓋。
［技術的特徴６５］
前記複数の窪みが前記マルチウェルプレートの前記複数のウェルに対応する、技術的特徴６４に記載の蓋。
［技術的特徴６６］
前記複数の窪みが前記複数のウェルの中に延在するように構成される、技術的特徴６５に記載の蓋。
［技術的特徴６７］
前記蓋の前記上面が、前記複数のウェルの少なくとも１つの上部リップに接触するように適応される、技術的特徴６５に記載の蓋。
［技術的特徴６８］
順応したプラスチック又はエラストマ材料から作られない、技術的特徴６４〜６７のいずれかに記載の蓋。
［技術的特徴６９］
硬質プラスチックから作られる、技術的特徴６４〜６８のいずれかに記載の蓋。
［技術的特徴７０］
ポリスチレンから作られる、技術的特徴６９に記載の蓋。
［技術的特徴７１］
マルチウェルプレートの上面を覆うように構成された蓋であって、前記蓋の上部に依存するスカートを備え、前記スカートが前記マルチウェルプレートの前記上面の外周の回りに適合するように適応され、前記プレートの前記上面が、前記マルチウェルプレートの前記パラメータに接触するサイズ及び寸法に作られ、
前記蓋が任意選択で疎水性である、
蓋。
［技術的特徴７２］
前記蓋が疎水性ポリマーから作られる、技術的特徴７１に記載の蓋。
［技術的特徴７３］
前記蓋の前記上部の底面が疎水性にされる、技術的特徴７１に記載の蓋。
［技術的特徴７４］
前記底面が空気を閉じ込めるためにための粗面を作成するためにマイクロエッチングされ、これにより前記底面が水分に対する障壁としてのカシーバクスター挙動を示す、技術的特徴７３に記載の蓋。
［技術的特徴７５］
前記底面が疎水性コーティングでコーティングされる、技術的特徴７１に記載の蓋。
［技術的特徴７６］
前記底面が界面活性剤でコーティングされる、技術的特徴７１に記載の蓋。
［技術的特徴７７］
前記蓋の前記上部から前記マルチウェルプレートに向かって延在する複数の窪みをさらに備える、技術的特徴７１に記載の蓋。
［技術的特徴７８］
前記複数の窪みが前記マルチウェルプレートの前記複数のウェルに対応する、技術的特徴７７に記載の蓋。
［技術的特徴７９］
前記複数の窪みが前記複数のェルの中に延在するように構成される、技術的特徴７８に記載の蓋。
［技術的特徴８０］
順応したプラスチック又はエラストマ材料から作られない、技術的特徴６４〜７９のいずれかに記載の蓋。
［技術的特徴８１］
硬質プラスチックから作られる、技術的特徴６４〜８０のいずれかに記載の蓋。
［技術的特徴８２］
ポリスチレンから作られる、技術的特徴８１に記載の蓋。
［技術的特徴８３］
試薬容器に取り付けられるように構成され、プローブが進入する及び退出するように適応され、上面を備える蓋であって、前記上面が前記上面をセグメントに分離する切れ目のパターンを備え、前記セグメントが、前記プローブが前記試薬容器に進入すると下方に曲がり、前記プローブが退出するとその元の向きに戻る、蓋。
［技術的特徴８４］
前記プローブが少なくとも１つのピペット先端を備える、技術的特徴８３に記載の蓋。
［技術的特徴８５］
切れ目の前記パターンが少なくとも１つの曲線を成す線を備える、技術的特徴８３又は８４に記載の蓋。
［技術的特徴８６］
切れ目の前記パターンが少なくとも１つの蛇行する線を備える、技術的特徴８３又は８４に記載の蓋。
［技術的特徴８７］
切れ目の前記パターンが少なくとも１つの実質的に輪状の線を備える、技術的特徴８３又は８４に記載の蓋。
［技術的特徴８８］
切れ目の前記パターンが平行な直線を備える、技術的特徴８３又は８５に記載の蓋。
［技術的特徴８９］
前記蓋が非エラストマ材料から作られる、技術的特徴８３〜８８のいずれかに記載の蓋。
［技術的特徴９０］
前記蓋がエラストマ材料から作られる、技術的特徴８３〜８８のいずれかに記載の蓋。
［技術的特徴９１］
試薬トラフを覆うためである、技術的特徴８３〜９０のいずれかに記載の蓋。
［技術的特徴９２］
アッセイシステムと使用されるように適応されたローディングカートであって、前記ローディングカートがコンピュータ画面と、少なくとも１つの棚及び前記コンピュータ画面用の支持体を備える可動本体を備え、
前記棚が少なくとも１つのトレイを備え、複数の長穴が前記トレイに画定され、前記長穴がアッセイを実施するために複数の消耗品を受け取るサイズ及び寸法に作られ、
前記コンピュータ画面が前記少なくとも１つのトレイ上の消耗品の前記複数の容器の第１の配置を示すユーザインタフェースを表示するように適応される、
ローディングカート。
［技術的特徴９３］
前記コンピュータ画面がタブレットコンピュータの画面である、技術的特徴９２に記載のローディングカート。
［技術的特徴９４］
前記コンピュータ画面がパーソナルコンピュータ又はラップトップコンピュータに接続される、技術的特徴９２に記載のローディングカート。
［技術的特徴９５］
前記コンピュータ画面が前記アッセイマシン上のプロセッサによって制御される、技術的特徴９２〜９４のいずれかに記載のローディングカート。
［技術的特徴９６］
前記コンピュータ画面が、ＷｉＦｉ接続又はブルートゥース（登録商標）接続によって前記アッセイマシン上の前記プロセッサに接続される、技術的特徴９５に記載のローディングカート。
［技術的特徴９７］
前記複数の長穴が前記少なくとも１つのトレイの上面に画定される、技術的特徴９２に記載のローディングカート。
［技術的特徴９８］
複数の長穴が前記少なくとも１つのトレイの底面にも画定される、技術的特徴９７に記載のローディングカート。
［技術的特徴９９］
前記複数の長穴が、異なるサイズの前記複数の消耗品を受け取るように適応された異なるサイズの長穴を備える、技術的特徴９２、９７、又は９８のいずれかに記載のローディングカート。
［技術的特徴１００］
前記コンピュータ画面用の前記支持体が調整可能な支持体である、技術的特徴９２に記載のローディングカート。
［技術的特徴１０１］
前記調整可能な支持体が実質的に垂直軸の回りで回転可能である、技術的特徴１００に記載のローディングカート。
［技術的特徴１０２］
前記調整可能な支持体が前記垂直軸に実質的に直交する軸の回りでさらに傾斜可能である、技術的特徴１０１に記載のローディングカート。
［技術的特徴１０３］
前記少なくとも１つの棚が上部棚である、技術的特徴９２に記載のローディングカート。
［技術的特徴１０４］
底部棚をさらに備える、技術的特徴１０３に記載のローディングカート。
［技術的特徴１０５］
中央棚をさらに備える、技術的特徴１０３に記載のローディングカート。
［技術的特徴１０６］
前記少なくとも１つのトレイの下にコンパートメントをさらに備え、前記コンパートメントがクーラントを保管するように適応される、技術的特徴９２に記載のローディングカート。
［技術的特徴１０７］
前記コンパートメントが排水口を備える、技術的特徴１０６に記載のローディングカート。
［技術的特徴１０８］
前記コンパートメントの底面が凹状である、技術的特徴１０６に記載のローディングカート。
［技術的特徴１０９］
前記可動本体が、少なくとも１つのキャスタホイールによって支持される、技術的特徴９２〜１０８のいずれかに記載のローディングカート。
［技術的特徴１１０］
前記少なくとも１つのキャスタホイールがハブレスキャスタホイールである、技術的特徴１０９に記載のローディングカート。
［技術的特徴１１１］
前記複数の消耗品が少なくとも１つのマルチウェルプレートを備える、技術的特徴９２〜１１０のいずれかに記載のローディングカート。
［技術的特徴１１２］
前記少なくとも１つのマルチウェルプレートが少なくとも１つのアッセイプレート又は少なくとも１つの希釈プレートを備える、技術的特徴１１１に記載のローディングカート。
［技術的特徴１１３］
前記複数の消耗品が試薬の少なくとも１つの容器を備える、請求個９２〜１１２のいずれかに記載のローディングカート。
［技術的特徴１１４］
前記複数の消耗品が少なくとも１つのチューブを備える、技術的特徴９２〜１１３のいずれかに記載のローディングカート。
［技術的特徴１１５］
前記複数の消耗品が少なくとも１つのトラフを備える、技術的特徴９２〜１１３のいずれかに記載のローディングカート。
［技術的特徴１１６］
前記トレイが図１９に示されるように構成される、技術的特徴９２〜１１５のいずれかに記載のローディングカート。
［技術的特徴１１７］
前記コンピュータ画面と関連付けられたモバイルコンピュータ遺贈を備える、技術的特徴９２〜１１６のいずれかに記載のローディングカート。
［技術的特徴１１８］
アッセイ構成要素を準備するためのアッセイ準備システムであって、
（ａ）アッセイランを実行するために必要とされる前記構成要素についての情報を備えるプロセッサを有するアッセイシステムと、
（ｂ）アッセイで使用される構成要素を組み立てるための棚、及びモバイルコンピューティングデバイスを保持するための支持体を備えるローディングカートと、
（ｃ）コンピュータ画面を含むモバイルコンピューティングデバイスと
を備え、
前記モバイルコンピューティングデバイスが前記プロセッサで前記情報にアクセスするためのネットワーキング機能、及びコンピュータ画面上でその情報をユーザに提示し、前記ローディングカートでのアッセイ構成要素の設置を誘導するためのグラフィックユーザインタフェースを含む、
アッセイ準備システム。
［技術的特徴１１９］
前記ローディングカートが技術的特徴９２〜１１７のいずれかに記載の前記ローディングカートである、技術的特徴１１８に記載の準備システム。
［技術的特徴１２０］
前記ローディングカートが、消耗品識別子読取装置をさらに備え、前記グラフィックユーザインタフェースが前記カートにアッセイ構成要素を設置するときに前記読取装置を使用し、前記ユーザによって提供される識別子情報を受け入れ、その情報を使用して前記構成要素の有効性を確認し、前記識別情報を前記プロセッサに転送するように構成される、技術的特徴１１８又は１１９に記載の準備システム。
［技術的特徴１２１］
技術的特徴９２〜１１７のいずれかに記載の前記ローディングカートを使用することを含む、ユーザにアッセイシステムの上に消耗品を装填するように命令する方法。
［技術的特徴１２２］
前記画面にユーザインタフェースによって表示される第１の配置に従って前記ローディングステーションで複数の消耗品を配置することを含む、技術的特徴１２１に記載の方法。
［技術的特徴１２３］
アッセイを実施するための消耗品をアッセイシステムの中に装填するための方法であって、
ａ．複数の消耗品を受け取るステップと、
ｂ．中間消耗品ローディングステーションに位置決めされた画面にユーザインタフェースによって表示される第１の構成に従って前記中間消耗品ローディングステーションに前記複数の消耗品を配置するステップと、
ｃ．前記中間消耗品ローディングステーションを前記アッセイシステムに移動するステップと、
ｄ．第２の構成に従って前記アッセイシステムに前記複数の消耗品を移送するステップであって、前記第１の構成が前記第２の構成と実質的に同じである、移送するステップと
を含む、方法。
［技術的特徴１２４］
前記中間消耗品ローディングステーションが可動カートを備える、技術的特徴１２３に記載の方法。
［技術的特徴１２５］
前記画面がコンピュータ画面である、技術的特徴１２４に記載の方法。
［技術的特徴１２６］
前記コンピュータ画面が前記カートに可動で取り付けられる、技術的特徴１２５に記載の方法。
［技術的特徴１２７］
前記コンピュータ画面が実質的には垂直軸の回りで回転可能である、技術的特徴１２６に記載の方法。
［技術的特徴１２８］
前記コンピュータ画面が前記垂直軸に対してさらに傾斜可能である、技術的特徴１２７に記載の方法。
［技術的特徴１２９］
前記複数の消耗品の少なくとも１つ消耗品を冷却する前記ステップをさらに含む、技術的特徴１２３から１２８のいずれかに記載の方法。
［技術的特徴１３０］
ステップ（ｂ）が、前記可動カートの上面に画定された複数の長穴の中に前記複数の消耗品を置く前記ステップを含む、技術的特徴１２４に記載の方法。
［技術的特徴１３１］
前記複数の消耗品が、少なくとも１つのマルチウェルプレート又は少なくとも１つの試薬の容器を備える、技術的特徴１２３〜１３１のいずれかに記載の方法。
［技術的特徴１３２］
前記可動カートが技術的特徴９２〜１１７のいずれかの前記ローディングカートである、技術的特徴１２４〜１３１のいずれかに記載の方法。
［技術的特徴１３３］
ＡＮＳＩ−ＳＬＡＳフォーマットのアッセイプレートのサイズ及び寸法に合わせたサイズ及び寸法に作られ、矩形外周、及び前記矩形外周の第１の側を前記外周の第２の側に接続する少なくとも１つの支持部材を備えるプレートであって、少なくとも１つの基準パッドが前記プレートの第１の主要な表面に位置し、前記ＡＮＳＩ−ＳＬＡＳフォーマットのアッセイプレートの少なくとも１つのウェルの場所に相当し、
３次元座標系の１次元での前記少なくとも１つの基準パッドの場所が、前記プレートが前記アッセイシステムのプレートキャリヤに位置決めされるとき、アッセイシステムのプローブによって測定可能である、プレート。
［技術的特徴１３４］
前記プローブが、前記プローブと前記少なくとも１つの基準パッドとの間のキャパシタンスを測定する、技術的特徴１３３に記載のプレート。
［技術的特徴１３５］
前記プレートが導電性である、技術的特徴１３４に記載のプレート。
［技術的特徴１３６］
前記ＡＮＳＩ−ＳＬＡＳフォーマットのアッセイプレートが８ｘ１２のマルチウェルプレートであり、前記少なくとも１つの基準パッドが前記ＡＮＳＩ−ＳＬＡＳフォーマットのアッセイプレート上の角のウェルに対応する、技術的特徴１３３に記載のプレート。
［技術的特徴１３７］
前記プレートの２つの主要な表面を接続する前記側面に位置する少なくとも２つの向かい合う把持領域をさらに備え、前記把持領域がロボットシステムのグリッパアームによって把持されるように適応される、技術的特徴１３３に記載のプレート。
［技術的特徴１３８］
前記第１の主要な表面に近接する前記矩形外周が、第２の主要な表面に近接する前記矩形外周よりも小さく、前記第１の主要な表面及び前記第２の主要な表面が実質的に平行である、技術的特徴１３３又は１３７に記載のプレート。
［技術的特徴１３９］
前記プレートが鋳造アルミニウムから作られる、技術的特徴１３３〜１３８のいずれかに記載のプレート。
［技術的特徴１４０］
前記プレートが鋳造アルミニウムから機械加工される、技術的特徴１３３〜１３８のいずれかに記載のプレート。
［技術的特徴１４１］
技術的特徴１３３〜１３９のいずれかの前記プレートを使用することを含む、ロボットグリッパ又はピペッタを訓練又は指導する方法。
［技術的特徴１４２］
ロボットグリッパを訓練又は指導する方法であり、以下の
前記プレート上の領域に対応するＸ空間、Ｙ空間、Ｚ空間での特定の場所に移動するように前記ロボットグリッパアームに命令するステップと、
前記プレート上の領域に対応する特定の場所に回転するように前記ロボットグリッパアームに命令するステップと、
前記プレート上の領域に対応する特定の幅又は長さにそのグリッパを開く又は閉じるように前記ロボットグリッパアームに命令するステップと、
自動セットアップ全体で固定された場所を推定するために前記プレートに対してグリッパアームの前記特定の場所を使用するステップと、
前記場所及び実験機器の他の関連する部品のロボット訓練位置を計算するために、前記プレートに対してグリッパアームの前記特定の場所を使用するステップと
の少なくとも１つを含む、技術的特徴１４１に記載の方法。
［技術的特徴１４３］
以下のステップ
前記プレート上の領域に対応するＸ空間、Ｙ空間、Ｚ空間での特定の場所に移動するように自動分注アームに命令するステップと、
自動セットアップ全体で固定された場所を推定するために前記プレートに対して自動分注アームの前記特定の場所を使用するステップと、
前記場所及び実験機器の他の関連する部品のロボット訓練位置を計算するために、前記プレートに対して自動分注アームの前記特定の場所を使用するステップと
の少なくとも１つを含む、前記自動分注アームを訓練又は指導する方法である、技術的特徴１４１に記載の方法。
［技術的特徴１４４］
アッセイシステムのロボット制御式プローブを訓練するための方法であって、
前記アッセイシステムの内部のプレートキャリヤにＡＮＳＩ−ＳＬＡＳフォーマットのアッセイプレートの前記サイズ及び前記寸法に合わせたサイズ及び寸法に作られたプレートを位置決めするステップであって、前記プレートの前記位置が３次元座標系で既知である、位置決めするステップと、
前記プレート上の基準パッドに向かって前記ロボット制御式プローブを移動するステップであって、前記基準パッドが前記ＡＮＳＩ−ＳＬＡＳプレートのウェルに対応する、移動するステップと、
前記３次元座標系の前記プローブと前記基準パッドとの間のキャパシタンスを使用し、前記基準パッドの第１の場所を入手するステップと、
前記ロボット制御式プローブのための前記３次元座標系での１次元として前記第１の場所を割り当てるステップと
を含む、方法。
［技術的特徴１４５］
前記プレートが技術的特徴１３３〜１４０のいずれかの前記プレートである、技術的特徴１４４に記載の方法。
［技術的特徴１４６］
底台と、垂直に位置合わせされた保管ユニットの複数のセットを有する棚アセンブリとを備えるアッセイシステムのプラットフォームに取り付けられるように適応されたアッセイ消耗品保管ユニットであって、各保管ユニットが前記アッセイシステムによるアッセイの前記実施のために消耗品を受け取るサイズ及び寸法に作られ、
前記棚アセンブリが、複数の直立する垂直支持体によって接続された複数の水平部材を備え、
前記底台が前記プラットフォームに片持ち式で固定され、前記棚アセンブリが少なくとも２つの位置決めピンによって及び指作動可能ヘッドを有する少なくとも１つのネジ式コネクタによって前記底台に取外し可能に取り付けられる
アッセイ消耗品保管ユニット。
［技術的特徴１４７］
前記棚アセンブリが、垂直に位置合わせされた保管ユニットのセットのＭｘＮの直線的なアレイを備え、Ｍ及びＮが整数である、技術的特徴１４６に記載の装置。
［技術的特徴１４８］
上部水平部材がＡＮＳＩ  ＳＬＡＳに準拠する容器底部のための位置合わせ特徴を備える、技術的特徴１４６に記載の装置。
［技術的特徴１４９］
上部水平部材が、ＡＮＳＩ  ＳＬＡＳに準拠する容器底部よりも大きいアッセイ試薬ホルダの蓋のための位置合わせ特徴を備える、技術的特徴１４６〜１４８のいずれかに記載の装置。
［技術的特徴１５０］
前記アッセイ試薬ホルダが技術的特徴２３〜５７のいずれかに記載の前記アッセイ試薬ホルダである、技術的特徴１４９に記載の装置。
［技術的特徴１５１］
ハウジングを備えるアッセイシステムであって、前記ハウジングが連続ガラス部材を含み、コンピュータ画面用のタッチスクリーンが前記連続ガラス部材の第１の部分及び圧力トランスデューサのアレイによって形成され、サウンドエミッタが前記連続ガラス部材の第２の部分及び少なくとも１つのサウンドエキサイタによって形成される、アッセイシステム。
［技術的特徴１５２］
アッセイの前記実施において消耗品を受け取るように適応された自動アッセイシステムであって、前記アッセイシステムがロボット制御式ピペッタ及びロボット制御式グリッパアーム、アッセイ読取装置、プレート洗浄機、並びに少なくとも１つの任意選択の加熱可能シェーカ、少なくとも１つの熱交換器、並びに前記消耗品の装填において及び前記アッセイの実行において潜在的なエラーを最小限に抑える少なくとも１つの命令を実行するように適応された少なくとも１つのプロセッサを備え、
前記消耗品が少なくとも１つのアッセイ試験プレート、少なくとも１つの希釈プレート、少なくとも１セットのピペット先端、少なくとも１つの試料プレート、及びキャリブレータ、希釈液、及び抗体の少なくとも１つを含む複数の容器を備え、
前記少なくとも１つの命令は、以下
前記消耗品を前記アッセイシステムの中に装填するためにユーザを指導する、ユーザインタフェースに対する命令と、
前記少なくとも１つのアッセイ試験プレートが前記シェーカに設置されるとき、前記少なくとも１つのアッセイ試験プレートに蓋を設置する、前記ロボットグリッパアームに対する命令と、
前記アッセイシステムの中で選択された温度を維持する、前記少なくとも１つの熱交換器に対する命令と、
前記少なくとも１つのアッセイ試験プレートのために前記アッセイを実行する命令であって、前記少なくとも１つのアッセイプレートが複数のアッセイ試験プレートを備え、各アッセイ試験プレートが実質的に同期間に完了する、アッセイを実行する命令と
の少なくとも１つを含む、
自動アッセイシステム。
［技術的特徴１５３］
前記ユーザインタフェースに対する前記命令が、キットから消耗品を装填する命令を含む、技術的特徴１５２に記載の自動アッセイシステム。
［技術的特徴１５４］
前記ユーザインタフェースに対する前記命令が、中間消耗品ローディングステーションに消耗品を装填する命令を含む、技術的特徴１５２に記載の自動アッセイシステム。
［技術的特徴１５５］
前記中間消耗品ローディングステーションが可動カートを備える、技術的特徴１５４に記載の自動アッセイシステム。
［技術的特徴１５６］
前記少なくとも１つの命令が、訓練プレートを使用し、その垂直位置を入手する、前記ロボット制御式ピペッタ対する命令をさらに備える、技術的特徴１５２〜１５４のいずれかに記載の自動アッセイシステム。
［技術的特徴１５７］
前記ロボット制御式ピペッタに対する前記命令が、その水平位置を入手する、命令をさらに含む、技術的特徴１５６に記載の自動アッセイシステム。
［技術的特徴１５８］
前記少なくとも１つの命令は、訓練プレートを使用し、その垂直位置を入手する、前記ロボット制御式グリッパアームに対する命令をさらに備える、技術的特徴１５２〜１５７のいずれかに記載の自動アッセイシステム。
［技術的特徴１５９］
前記ロボット制御式ピペッタに対する前記命令が、水平面で少なくとも１つの位置を入手する命令をさらに含む、技術的特徴１５８に記載の自動アッセイシステム。
［技術的特徴１６０］
前記少なくとも１つの命令が、適格化手順を実行する命令をさらに備える、技術的特徴１５２〜１５９のいずれかに記載の自動アッセイシステム。
［技術的特徴１６１］
前記アッセイ読取装置がＥＣＬ読取装置である、技術的特徴１５２〜１６０のいずれかに記載の自動アッセイシステム。
［技術的特徴１６２］
前記適格化手順が、以下の
（ｉ）前記ＥＣＬ読取装置を確証するステップと、
（ｉｉ）前記プレート洗浄機の吸引機能を確証するステップと、
（ｉｉｉ）前記プレート洗浄機の計量配分機能を確証するステップと、
（ｉｖ）前記ピペッタの計量配分機能を確証するステップと
の少なくとも１つを含む、技術的特徴１６１に記載の自動アッセイシステム。
［技術的特徴１６３］
前記ＥＣＬ読取装置を前記確証することが、以下の
（ａ）前記ＥＣＬ読取装置の中の前記電流の流れを確証するために前記ＥＣＬ読取装置を用いて電子プレートを読み取るステップと、
（ｂ）背景電気雑音を確かめるために前記ＥＣＬ読取装置を用いて空のアッセイ試験プレートを読み取るステップと、
（ｃ）アッセイ試験プレートを読み取るステップであって、前記プレートの中のウェルが前記ＥＣＬ読取装置が前記予想カウントを読み取ることを確証するために自由タグ緩衝液で充填される、アッセイ試験プレートを読み取るステップと
の少なくとも１つを含む、技術的特徴１６２に記載の自動アッセイシステム。
［技術的特徴１６４］
前記少なくとも１つのプロセッサが少なくとも２つの命令を実行する、技術的特徴１５２〜１６３のいずれかに記載の自動アッセイシステム。
［技術的特徴１６５］
前記少なくとも１つのプロセッサが少なくとも３つの命令を実行する、技術的特徴１５２〜１６４のいずれかに記載の自動アッセイシステム。
［技術的特徴１６６］
前記少なくとも１つのプロセッサが少なくとも４つの命令を実行する、技術的特徴１５２〜１６５のいずれかに記載の自動アッセイシステム。
［技術的特徴１６７］
前記可動カートが技術的特徴９２〜１１７のいずれかの前記ローディングカートである、技術的特徴１５４に記載の自動アッセイシステム。
［技術的特徴１６８］
アッセイのために消耗品を装填し、前記アッセイを実行する際の潜在的なエラーを最小限に抑えるために自動アッセイシステムを操作するための方法であって、
前記アッセイシステムが、ロボット制御式ピペッタ及びロボット制御式グリッパアーム、アッセイ読取装置、プレート洗浄機、及び少なくとも１つのシェーカ及びインキュベータ、少なくとも１つの熱交換器、並びに少なくとも１つのプロセッサを含み、
前記アッセイシステムが消耗品を受け取るように適応され、前記消耗品が少なくとも１つのアッセイ試験プレート、少なくとも１つの希釈プレート、少なくとも１セットのピペット先端、少なくとも１つの試料プレート、及びキャリブレータ、対照、希釈液、抗体、試薬、及び緩衝液の少なくとも１つを含む複数の容器を含み、
前記方法は、以下の
前記消耗品を前記アッセイシステムの中に装填するためにユーザを指導するようにユーザインタフェースに命令するステップと、
前記少なくとも１つのアッセイ試験プレートが前記シェーカ及び前記インキュベータに設置されるとき、前記少なくとも１つのアッセイ試験プレートに蓋を設置するように前記ロボットグリッパアームに命令するステップと、
前記アッセイシステムの中で選択された温度を維持するように前記少なくとも１つの熱交換器に命令するステップと、
前記少なくとも１つのアッセイ試験プレートのために前記アッセイを実行するように前記少なくとも１つのプロセッサに命令するステップであって、前記少なくとも１つのアッセイプレートが複数のアッセイ試験プレートを含み、各アッセイ試験プレートが実質的に同期間で完了する、前記少なくとも１つのプロセッサに命令するステップと
の少なくとも１つを含む、方法。
［技術的特徴１６９］
前記アッセイ読取装置がＥＣＬ読取装置である、技術的特徴１６８に記載の方法。
［技術的特徴１７０］
前記ユーザインタフェースに対する前記命令が、キットから消耗品を装填する命令を含む、技術的特徴１６８又は１６９に記載の方法。
［技術的特徴１７１］
前記ユーザインタフェースに対する前記命令が、中間消耗品ローディングステーションに消耗品を装填する命令を含む、技術的特徴１６８〜１７０のいずれかに記載の方法。
［技術的特徴１７２］
前記中間消耗品ローディングステーションが可動カートを備える、技術的特徴１６８〜１７１のいずれかに記載の方法。
［技術的特徴１７３］
前記少なくとも１つの命令が、訓練プレートを使用し、その垂直値を入手する、前記ロボット制御式ピペッタに対する命令をさらに備える、技術的特徴１６８〜１７２のいずれかに記載の方法。
［技術的特徴１７４］
前記ロボット制御式ピペッタに対する前記命令が、その水平位置を入手する命令をさらに含む、技術的特徴１６８〜１７３のいずれかに記載の方法。
［技術的特徴１７５］
前記少なくとも１つの命令が、訓練プレートを使用し、その垂直位置を入手する、前記ロボット制御式グリッパアームに対する命令をさらに備える、技術的特徴１６８〜１７４のいずれかに記載の方法。
［技術的特徴１７６］
前記ロボット制御式ピペッタに対する前記命令が、水平面で少なくとも１つの位置を入手する命令をさらに含む、技術的特徴１７５に記載の方法。
［技術的特徴１７７］
前記少なくとも１つの命令が、適格化手順を実行する命令をさらに備える、技術的特徴１６８〜１７６のいずれかに記載の方法。
［技術的特徴１７８］
前記アッセイ読取装置がＥＣＬ読取装置である、技術的特徴１６８〜１７７のいずれかに記載の方法。
［技術的特徴１７９］
前記適格化手順が、以下の
（ｉ）前記ＥＣＬ読取装置を確証するステップと、
（ｉｉ）前記プレート洗浄機の吸引機能を確証するステップと、
（ｉｉｉ）前記プレート洗浄機の計量配分機能を確証するステップと、
（ｉｖ）前記ピペッタの計量配分機能を確証するステップと
の少なくとも１つを含む、技術的特徴１７７に記載の方法。
［技術的特徴１８０］
前記ＥＣＬ読取装置を前記確証することが、以下の
（ａ）前記ＥＣＬ読取装置の中の前記電流の流れを確証するために前記ＥＣＬ読取装置を用いて電子プレートを読み取るステップと、
（ｂ）背景電気雑音を確かめるために前記ＥＣＬ読取装置を用いて空のアッセイ試験プレートを読み取るステップと、
（ｃ）アッセイ試験プレートを読み取るステップであって、前記プレートの中のウェルが前記ＥＣＬ読取装置が前記予想カウントを読み取ることを確証するために自由タグ緩衝液で充填される、アッセイ試験プレートを読み取るステップと
の少なくとも１つを含む、技術的特徴１７９に記載の方法。
［技術的特徴１８１］
前記少なくとも１つのプロセッサが少なくとも２つの命令を実行する、技術的特徴１６８〜１８０のいずれかに記載の方法。
［技術的特徴１８２］
前記少なくとも１つのプロセッサが少なくとも３つの命令を実行する、技術的特徴１８１のいずれかに記載の方法。
［技術的特徴１８３］
前記少なくとも１つのプロセッサが少なくとも４つの命令を実行する、技術的特徴１８２のいずれかに記載の方法。
［技術的特徴１８４］
前記可動カートが、技術的特徴９２〜１１７のいずれかに記載される前記ローディングカートである、技術的特徴１７０〜１８３のいずれかに記載の方法。
［技術的特徴１８５］
アッセイの前記実施においてアッセイ消耗品を使用するように構成された自動アッセイシステムであって、前記前記アッセイシステムが少なくとも１つのプロセッサ及び少なくとも１つの記憶媒体を備え、
前記記憶媒体が、前記プロセッサにより前記アッセイを実施する命令を記憶し、
前記命令が複数の構成要素に分けられ、前記複数の構成要素が、
セキュリティ構成要素と、
ユーザインタフェース構成要素と、
計器制御構成要素と、
データサービス構成要素と、
を備え、
各構成要素が実質的に互いと無関係に動作し、実質的に互いの相互作用を有さず、
前記構成要素がマスタオーガナイザに接続され、前記マスタオーガナイザが各構成要素にいつ動作するのかを命令する
自動アッセイシステム。
［技術的特徴１８６］
前記システムが複数の構成要素を備え、１つの構成要素に対する更新が前記すべての構成要素の再バリデーションを必要としない、技術的特徴１８５に記載のアッセイシステム。
［技術的特徴１８７］
前記マスタオーガナイザが、前記複数の構成要素の間で情報を渡すためのルートとしての機能を果たす、技術的特徴１８５又は１８６に記載のアッセイシステム。
［技術的特徴１８８］
前記構成要素の少なくとも１つがサブコンポーネントにさらに分けられ、各サブコンポーネントが互いと実質的に無関係に動作し、互いと実質的に相互作用を有さず、サブマスタオーガナイザが前記サブコンポーネントに接続され、前記サブマスタオーガナイザが各サブコンポーネントにいつ動作するのかを命令する、技術的特徴１８５〜１８７のいずれかに記載のアッセイシステム。
［技術的特徴１８９］
１つのサブコンポーネントに対する更新が、前記サブコンポーネントのすべての再バリデーションを必要としない、技術的特徴１８８に記載のアッセイシステム。
［技術的特徴１９０］
第１のアッセイの前記実施においてアッセイ消耗品を使用するように構成されたアッセイシステムであって、前記第１のアッセイが一意のアッセイ識別子を備え、前記アッセイシステムは、
前記一意のアッセイ識別子を読み取るように適応された読取装置と、
一般プロトコルファイル及び計器パラメータファイルにアクセスするプロセッサと、
を備え、
前記一般プロトコルファイルが、前記第１のアッセイを含む複数のアッセイに適用可能である検定ステップを含む一般アッセイプロトコルを含み、
前記計器パラメータファイルが、オン又はオフのどちらかである複数のフラグを含み、
前記プロセッサが、前記第１のアッセイを実施するために前記フラグに従って前記一般アッセイプロトコルの前記検定ステップをオン又はオフにする
アッセイシステム。
［技術的特徴１９１］
前記一般アッセイプロトコルがＶ−ＰＬＥＸアッセイのための検定ステップを含む、技術的特徴１９０に記載のアッセイシステム。
［技術的特徴１９２］
前記一般アッセイプロトコルがＵ−ＰＬＥＸアッセイのための検定ステップを含む、技術的特徴１９０に記載のアッセイシステム。
［技術的特徴１９３］
前記一般アッセイプロトコルが免疫原性アッセイのための検定ステップを含む、技術的特徴１９０に記載のアッセイシステム。
［技術的特徴１９４］
前記一般アッセイプロトコルが薬物動態アッセイのための検定ステップを含む、技術的特徴１９０に記載のアッセイシステム。
［技術的特徴１９５］
前記一般アッセイプロトコルがカスタムサンドイッチアッセイのための検定ステップを含む、技術的特徴１９０に記載のアッセイシステム。
［技術的特徴１９６］
ユーザ、計器、及びアッセイ方法の変動を最小限に抑えるように構成された自動アッセイシステムであって、
システムロードでユーザエラーを最小限に抑えるための手段と、
自動化されたワークフローを選択する際にユーザエラーを最小限に抑えるための手段と、
試料希釈エラーを最小限に抑えるための手段と、
システムプレート取扱いエラーを最小限に抑えるための手段と、
システム分注エラーを最小限に抑えるための手段と、
温度変動を最小限に抑えるための手段と、
アッセイ消耗品の中の蒸発又は凝縮を最小限に抑えるための手段と、
少なくとも１つのシェーカの前記振蕩頻度を制御するための手段と、
保守手順の複雑さを最小限に抑えるための手段と
の少なくとも１つを含む、システム。
［技術的特徴１９７］
ユーザ、計器、及びアッセイ方法の変動を最小限に抑えるように構成された自動アッセイシステムであって、前記システムがロボットグリッパアーム及びロボットピペッタを備え、
試料希釈ステップを実行することと、
所与のアッセイのために前記正しいアッセイワークフローを選び、実行することと、
空気冷却処理システムを制御し、それによって定義された公差で前記システムのアッセイワークフロー領域の定義された温度を維持することと、
ラン、プレート、及びウェルの間で一貫したタイミングを維持することと、
ユーザが、前記ワークフローソフトウェアを再構成又は再確証する必要なく異なるアッセイワークフローを実行できるようにすることと
の少なくとも１つのためのソフトウェア及び計器構成要素も備える、自動アッセイシステム。
［技術的特徴１９８］
技術的特徴１〜１２、１５１〜１６８、及び１８５〜１９５のいずれかに記載の前記アッセイシステムを備える、技術的特徴１９６又は１９７に記載のアッセイシステム。
［技術的特徴１９９］
技術的特徴９２〜１１７のいずれかに記載の前記ローディングカートを備える、技術的特徴１９６〜１９８のいずれかに記載のシステム。
［技術的特徴２００］
技術的特徴１４６〜１５０のいずれかに記載の前記装置を備える、技術的特徴１９６〜１９９のいずれかに記載のアッセイシステム。
［技術的特徴２０１］
図１０（ｌ）〜図１０（ｐ）のいずれかの前記冷却空気処理システムを備える、技術的特徴１９６〜２００のいずれかに記載のアッセイシステム。
［技術的特徴２０２］
図１０（ａ）〜図１０（ｄ）、図１０（ｌ）、又は図１０（ｓ）のいずれかの前記アッセイシステムを備える、技術的特徴１９６〜２０１のいずれかに記載のアッセイシステム。
［技術的特徴２０３］
技術的特徴２３〜５７のいずれかの前記アッセイ試薬ホルダを備える、技術的特徴１９６〜２０２のいずれかに記載のアッセイシステム。
［技術的特徴２０４］
技術的特徴５８〜６３のいずれかに記載の前記キットを備える、技術的特徴１９６〜２０３のいずれかに記載のアッセイシステム。
［技術的特徴２０５］
技術的特徴６４〜８２のいずれかに記載の前記蓋を備える、技術的特徴１９６〜２０４のいずれかに記載のアッセイシステム。
［技術的特徴２０６］
技術的特徴８３〜９１のいずれかに記載の前記蓋を備える、技術的特徴１９６〜２０５のいずれかに記載のアッセイシステム。
［技術的特徴２０７］
技術的特徴２１又は２２に記載の前記コンピュータ可読媒体を備える、技術的特徴１９６〜２０６のいずれかに記載のアッセイシステム。
［技術的特徴２０８］
自動アッセイシステムであって、ロボットグリッパアーム及びロボットピペッタを備え、少なくとも以下の追加の構成要素、つまり（ａ）プレートキャリヤ、（ｂ）先端ボックスキャリヤ、（ｃ）５つの任意選択の加熱可能シェーカ、（ｄ）空気冷却処理システム、（ｅ）アッセイ試薬用のアッセイ消耗品保管ユニット、（ｆ）即時利用先端用のアッセイ消耗品保管ユニット、（ｇ）予備先端用のアッセイ消耗品保管ユニット、（ｈ）プレート用のアッセイ消耗品保管ユニット、（ｉ）チューブ及びトラフ用のアッセイ消耗品保管ユニットを固定するための位置、並びに（ｊ）プラットフォーム若しくはテーブル、又は両方を備え、前記構成要素（ａ）〜（ｃ）及び（ｅ）〜（ｈ）が図１０（ａ）、図１０（ｂ）、図１０（ｃ）、図１０（ｌ）、図１０（ｎ）又は図１０（ｏ）に示されるように互いに対して実質的に前記同じ位置での前記システムの中の前記プラットフォーム又は前記テーブルに位置し、構成要素（ｄ）が、実質的に図１０（ｌ）、図１０（ｍ）、又は図１０（ｎ）に示されるように前記計器の前記バックパネルに位置する、自動アッセイシステム。
［技術的特徴２０９］
前記プラットフォーム又は前記テーブルの下方に位置するプレート洗浄機をさらに備え、前記プラットフォーム又は前記テーブルが前記プレート洗浄機にアクセスするための開口部を有する、技術的特徴２０８に記載のアッセイシステム。
［技術的特徴２１０］
プラットフォーム及びテーブルの両方を備え、前記プラットフォームが前記テーブルに取り付けられ、前記テーブルによって支持される、技術的特徴２０８又は２０９に記載のアッセイシステム。
［技術的特徴２１１］
アッセイ読取装置をさらに備える、技術的特徴２０８〜２１０のいずれかに記載のアッセイシステム。
［技術的特徴２１２］
前記アッセイ読取装置が前記プラットフォーム又は前記テーブルの下方に位置する、技術的特徴２１１に記載のアッセイシステム。
［技術的特徴２１３］
前記プラットフォーム又は前記テーブルが廃棄物を処分するための開口部を有する、技術的特徴２０８〜２１２のいずれかに記載のアッセイシステム。
［技術的特徴２１４］
前記前記廃棄物開口部から、前記廃棄物開口部を通って、及び前記廃棄物開口部の下方に伸長する固形廃棄物用シュートをさらに備える、技術的特徴２１３に記載のアッセイシステム。
［技術的特徴２１５］
前記プラットフォーム又は前記テーブルの下方に位置する少なくとも１つの廃棄物容器をさらに備える、技術的特徴２０８〜２１４のいずれかに記載のアッセイシステム。
［技術的特徴２１６］
前記ロボットグリッパ、前記ロボットピペッタ、並びに前記構成要素（ｃ）及び（ｄ）を制御するためのラップトップコンピュータをさらに備える、技術的特徴２０８〜２１５のいずれかに記載のアッセイシステム。
［技術的特徴２１７］
前記構成要素が、図１０（ｃ）、図１０（ｌ）、図１０（ｎ）に実質的に示されるように互いに対して位置する、技術的特徴２０８〜２１６のいずれかに記載のアッセイシステム。
［技術的特徴２１８］
前記プレート洗浄機下方に洗浄緩衝液及び液体廃棄物用の容器をさらに備える、技術的特徴２０８〜２１７のいずれかに記載のアッセイシステム。
［技術的特徴２１９］
図１０（ｖ）〜図１０（ｙ）の１つ又は組合せの配線図をさらに備える、技術的特徴２０８〜２１８のいずれかに記載のアッセイシステム。
［技術的特徴２２０］
前記構成要素が、図１０（ａ）〜図１０（ｄ）、図１０（ｌ）〜図１０（ｐ）、図１０（ｓ）及び図１０（ｕ）の１つ又は組合せに示されるように互いに対して位置する、技術的特徴２０８〜２１９のいずれかに記載のアッセイシステム。
［技術的特徴２２１］
前記構成要素が、図のいずれかに示される寸法の１０％以内の寸法を有する、技術的特徴２０８〜２２０のいずれかに記載のアッセイシステム。
［技術的特徴２２２］
前記プラットフォーム又は前記デッキの下方にユニバーサル電源（ＵＰＳ）をさらに備える、技術的特徴２０８〜２２１のいずれかに記載のアッセイシステム。
［技術的特徴２２３］
前記プラットフォーム又は前記デッキの下方の前記構成要素が、図１０（ａ）、図１０（ｂ）、又は図１０（ｃ）に示されるようにコンパートメントに分けられる、技術的特徴２０８〜２２２のいずれかに記載のアッセイシステム。
［技術的特徴２２４］
図９ｄ、図１２（ｍ）〜図１２（ｐ）、図１２（ｒ）〜図１２（ｓ）、図１３（ｄ）〜図１３（ｆ）、図１４（ｄ）、図１４（ｆ）〜図１４（ｌ）、図１５（ｂ）、図１５（ｄ）〜図１５（ｈ）、図１６（ｂ）、図１７（ｂ）、図１７（ｄ）〜図１７（ｈ）のいずれかの順序及びタイミングを備えるアッセイを実行する自動化された方法。
［技術的特徴２２５］
自動アッセイシステムであって、
（ａ）単一のロボット制御式８チャネルピペッタと、
（ｂ）単一のロボット制御式アッセイプレートグリッパアームと、
（ｃ）単一の９６チャネルチャネルアッセイプレート洗浄機と、
（ｄ）単一のプレート読取装置と、
（ｅ）少なくとも５つのプレート振蕩場所の総容量を有する１つ以上のプレートシェーカと、
（ｆ）９６ウェルプレートの複数の試料を解析するためのアッセイプロセスを実行するように適応されたプロセッサであって、プロセスの以下の動作、つまり
（ｉ）前記ピペッタを有するブロック緩衝液の追加、ブロッキング期間（ｂ）の間のインキュベーション、及び前記プレート洗浄機を用いる洗浄を含むブロックステップと、
（ｉｉ）前記プレート振蕩場所の１つで振蕩し、前記プレート洗浄機を用いて洗浄する一方、前記ピペッタを用いる前記試料の１つの追加、試料インキュベーション期間（ｓ）の間のインキュベーションを含む試料結合ステップと、
（ｉｉｉ）前記プレート振蕩場所の１つでの振蕩し、前記プレート洗浄機を用いて洗浄する一方、前記ピペッタを用いる検出試薬の追加、検出器インキュベーション期間（ｄ）の間のインキュベーションを含む、検出器結合ステップと、
（ｉｖ）前記ピペッタを用いた読取り緩衝液の追加と、
（ｖ）前記読取装置を用いたアッセイ信号の測定と、
が前記プレートの各ウェルで実行される、プロセッサと
を備え、
最大で５つまでのプレートをランで処理することができ、
前記ステップが図９（ｄ）、図１２（ｍ）〜図１２（ｐ）、図１２（ｒ）〜図１２（ｓ）、図１３（ｄ）〜図１３（ｆ）、図１４（ｄ）、図１４（ｆ）〜（ｌ）、図１５（ｂ）、図１５（ｄ）〜図１５（ｈ）、図１６（ｂ）、図１７（ｂ）、図１７（ｄ）〜図１７（ｈ）に示されるように実行される、自動アッセイシステム。
［技術的特徴２２６］
前記プロセスが、以下の
（ｖｉ）前記ピペッタを使用して、キャリブレータ貯蔵液を希釈して複数の較正基準を形成することであって、前記基準が前記複数の試料に含まれる、複数の較正基準を形成するステップと、
（ｖｉｉ）前記ピペッタを使用して、前記試料の前記プレートの前記ウェルへの追加前に前記試料の１つ以上を事前に希釈するステップと、
（ｖｉｉｉ）前記ピペッタを使用して、複数の検出試薬構成要素を結合して前記検出試薬を形成するステップと
の１つ以上をさらに備える、技術的特徴２２５に記載のシステム。
［技術的特徴２２７］
前記ステップが、２０〜２４℃±１℃を維持できる温度制御下で実行される、技術的特徴２２５又は２２６に記載のシステム。
［技術的特徴２２８］
前記測定がＥＣＬ測定である、技術的特徴２２５〜２２７のいずれかに記載のシステム。
［技術的特徴２２９］
前記測定が多重測定である、技術的特徴２２５〜２２８のいずれかに記載のシステム。
［技術的特徴２３０］
自動アッセイシステムであって、
（ａ）ほぼ矩形表面に前端、第１の側端、第２の側端、及び後端縁を提供するアッセイ構成要素を保持するための処理デッキであって、
（ｉ）９６ウェルアッセイプレートの幅及び長さについて前記ＡＮＳＩ−ＳＬＡＳ仕様を満たす消耗品を保持するサイズに作られた複数の消耗品長穴を有する前記デッキの前記前端上でほぼ中心に置かれ、片持ちにされたアッセイ消耗品ホテルと、
（ｉｉ）前記デッキの第１の側に位置するピペット先端容器を保持するための複数のピペット先端場所と、
（ｉｉｉ）前記デッキの前記後端縁に沿って位置する複数のプレートシェーカ場所と、
（ｉｖ）前記ホテルと、ＡＮＳＩ−ＳＬＡＳに準拠する寸法を有する消耗品を保持するように構成されるシェーカとの間で前記デッキの前記ほぼ中心に位置する処理場所のセットと、
（ｖ）前記ピペット先端場所の後方で前記デッキの前記第１の側に位置するバーコードスキャナであって、ＡＮＳＩ−ＳＬＡＳに準拠する寸法を有する消耗品の前記底面を走査するほど十分に大きい走査表面を有する前記バーコードスキャナと
を有する前記デッキと、
（ｂ）前記デッキの下に位置し、前記ピペット場所と前記アッセイプレート処理場所との間の前記デッキの開口を通してアクセス可能なプレート洗浄機と、
（ｃ）前記グリッパが場所（ｉ）から（ｖ）にアクセスするために移動できるようにロボットプレートグリッパを可動で支持し、前記ピペッタが場所（ｉｉ）及び（ｉｖ）にアクセスできるようにロボット８チャネルピペッタを可動で支持する前記デッキ上方に位置するガントリと、
（ｄ）前記デッキよりもより低い垂直高所であるプラットフォーム上の前記デッキの前記第１の側面の隣に位置するアッセイ読取装置であって、前記読取装置上の最も高い点が、前記ロボットグラバが移動できる最も低い点よりもより低い、アッセイ読取装置と、
（ｅ）温度制御下で前記構成要素を維持するための温度コントローラを有し、ユーザに前記デッキの前記正面及びその上に位置する前記消耗品ホテルへのアクセスを提供するドアを有する、構成要素（ａ）〜（ｄ）を取り囲むエンクロージャと、
を備える、自動アッセイシステム。
［技術的特徴２３１］
技術的特徴１４６〜１５０のいずれかに記載の前記装置をさらに備える、技術的特徴２３８に記載のシステム。
［技術的特徴２３２］
自動アッセイシステムであって、
（ａ）単一のロボット制御式８チャネルピペッタと、
（ｂ）単一のロボット制御式アッセイプレートグリッパアームと、
（ｃ）単一の９６チャネルチャネルプアッセイプレート洗浄機と、
（ｄ）単一のプレート読取装置と、
（ｄ）少なくとも５つのプレート振蕩場所の総容量を有する１つ以上のプレートシェーカと、
（ｅ）９６ウェルプレートの複数の試料を解析するためのアッセイプロセスを実行するように適応されたプロセッサであって、以下の動作、つまり
（ｉ）前記ピペッタを用いるブロック緩衝液の追加、ブロック期間（ｂ）の間のインキュベーション、及び（ｃ）前記プレート洗浄機を用いる洗浄を含むブロックステップと、
（ｉｉ）前記プレート振蕩場所の内の１つで振蕩し、前記プレート洗浄機を用いて洗浄しながら、前記ピペッタを用いる前記試料の内の１つの追加、試料インキュベーション期間（ｓ）の間のインキュベーションを含む試料結合ステップと、
（ｉｉｉ）前記プレート振蕩場所の内の１つで振蕩し、前記プレート洗浄機を用いて洗浄しながら、前記ピペッタを用いる検出試薬の追加、検出器インキュベーション期間（ｄ）の間のインキュベーションを含む検出器結合ステップと、
（ｉｖ）前記ピペッタを有する読取り緩衝液の追加と、
（ｖ）前記読取装置を用いるアッセイ信号の測定と
が前記プレートの各ウェルで実行されるプロセッサと
を備え、
最高で５つまでのプレートがランで処理できる
自動アッセイシステム。
［技術的特徴２３３］
技術的特徴１４６〜１５０のいずれかに記載の前記装置をさらに備える、技術的特徴２４０に記載のシステム。
［技術的特徴２３４］
前記領域が、少なくとも１つのチューブ及び少なくとも１つのバイアルを受け入れるように構成される、技術的特徴２３〜５１のいずれかに記載のホルダ。